(57)【要約】【課題】水槽内からのペットの運び出し、または水槽内へのペットの運び込みが、ペットの高さをそのまま保った状態で行うことができるペット用リハビリ装置を提供する。【解決手段】水槽１内でペットＰのリハビリを行うためのペット用リハビリ装置の当該水槽１の一側面においてその略全面を開放可能にした開閉扉２０を備える。開閉扉２０は、一端部に備えたヒンジ部２１を介して開閉可能とし、開放側他端縁部には閉止機構部Ｒを備える。また、閉止機構部Ｒは、開閉扉２０の開放側端縁部に備えた回動可能なコックレバー２２と、該コックレバー２２に直交形成した係止アーム２２ａと、コックレバー２２の回動操作によって当該係止アーム２２ａを係架可能にするよう水槽側開放縁部に付設したフック部２３とから構成する。【選択図】図３
2011067104.tif 000002
【特許請求の範囲】
【請求項１】
水槽内でペットのリハビリを行うためのペット用リハビリ装置であって、該水槽の一側面においてその略全面を開放可能にした開閉扉を備えたことを特徴とするペット用リハビリ装置。
【請求項２】
開閉扉は、一端部に備えたヒンジ部を介して開閉可能とし、開放側他端縁部には閉止機構部を備えて成る請求項１記載のペット用リハビリ装置。
【請求項３】
閉止機構部は、開閉扉の開放側端縁部に備えた回動可能なコックレバーと、該コックレバーに直交形成された係止アームと、コックレバーの回動操作によって当該係止アームを係架させるよう水槽側開放縁部に付設されたフック部とから成る請求項１または２記載のペット用リハビリ装置。
【発明の詳細な説明】
【技術分野】
【０００１】
本発明は、本発明は、水槽内部の中で小動物ペットの例えば足部等のリハビリを行うためのペット用リハビリ装置の改良に関する。
【背景技術】
【０００２】
従来、この種のペット用リハビリ装置としては、例えば特許文献１に開示されているように、犬や猫等の陸上動物のペット用の水中歩行装置なる技術が存在する。
【０００３】
すなわち、この装置は、水槽内でペットのリハビリを行うために水槽内底部に無端環状ベルトを備え、該無端環状ベルトは、水槽内底部に着脱可能に載置される駆動部に設けられ、該駆動部には、水槽内での上下水平位置の調整および前後傾斜角度の調整が共に可能となるよう昇降調整機構を備えている。
【０００４】
そして、このリハビリ時には、ペットの出し入れを水槽上方の開口部より行っていた。
【先行技術文献】
【特許文献】
【０００５】
【特許文献１】特願２００８−１９９７６９
【発明の概要】
【発明が解決しようとする課題】
【０００６】
このように、従来においては、ペットの出し入れを水槽上方の開口部より行っていたので、特に大型で重いペットの場合、出し入れ作業に手間と時間が掛かるという問題点を有していた。殊に、リハビリするペットは足が不自由であることから一層重労働となるものであった。
【０００７】
そこで、本発明は、叙上のような従来存した諸事情に鑑み案出されたもので、水槽内からのペットの運び出し、または水槽内へのペットの運び込みが、ペットの高さをほぼそのまま保った状態で行えるペット用リハビリ装置を提供することを目的とする。
【課題を解決するための手段】
【０００８】
上述した課題を解決するために、本発明にあっては、水槽内でペットのリハビリを行うためのペット用リハビリ装置であって、該水槽の一側面においてその略全面を開放可能にした開閉扉を備えたことを特徴とする。
【０００９】
開閉扉は、一端部に備えたヒンジ部を介して開閉可能とし、開放側他端縁部には閉止機構部を備えて成る。
【００１０】
閉止機構部は、開閉扉の開放側端縁部に備えた回動可能なコックレバーと、該コックレバーに直交形成された係止アームと、コックレバーの回動操作によって当該係止アームを係架させるよう水槽側開放縁部に付設されたフック部とから成る。
【発明の効果】
【００１１】
本発明によれば、水槽内からのペットの運び出し、または水槽内へのペットの運び込みが、ペットの高さをほぼそのまま保った状態で行える。
【００１２】
すなわち、水槽内でペットのリハビリを行うためのペット用リハビリ装置であって、水槽の一側面においてその略全面を開放可能にした開閉扉を備えたので、水槽内でのペットのリハビリ後に、ペットをほぼそのままの高さを保ったままの状態で水槽の外側に容易に出すことができる。
【００１３】
開閉扉は、一端部に備えたヒンジ部を介して開閉可能とし、開放側他端縁部には閉止機構部を備えて成るので、開閉扉の開放によって水槽一側面の略全面が容易に開放させることができると共に、閉止機構部によって開閉扉の閉止状態を固定可能にしたことから、従来と変わらずに水槽を使用することができる。
【００１４】
閉止機構部は、開閉扉の開放側端縁部に備えた回動可能なコックレバーと、該コックレバーに直交形成された係止アームと、コックレバーの回動操作によって当該係止アームを係架させるよう水槽側開放縁部に付設されたフック部とから成るので、開閉扉の閉止または開放がコックレバーの回動操作のみで確実且つ容易、迅速に行える。
【図面の簡単な説明】
【００１５】
【図１】本発明を実施する一形態におけるペット用リハビリ装置の正面図である。
【図２】同じく昇降調整機構により駆動部を上昇させてある状態の側面図である。
【図３】同じく水槽側面の開閉扉を開放する状態を示す斜視図である。
【図４】同じく水槽側面の開閉扉における閉止機構部の一例を示す斜視図である。
【発明を実施するための形態】
【００１６】
以下、図面を参照して本発明の実施の一形態を詳細に説明する。
本発明に係るペット用リハビリ装置は、図１、図２に示すように、例えば底部側の排水口に接続した排水ホースＨから排水バルブＶを介して内部の水を外方へ排出可能とし、下面四隅に移動用のキャスターＫを有して成る全面アクリル製の透明な箱体による水槽１によって形成され、水槽１の一側面には、後述するようにその略全面を開放可能にした開閉扉２０を備えている。
【００１７】
また、ペット用リハビリ装置は、水槽１内に吊り下げられたペット抱え用の吊り下げシート２と、下面四隅に配した例えばゴム等の弾性部材による脚部９ａを介して水槽１の内底部に着脱可能に設置される駆動部９と、該駆動部９の中央で巡廻可能に配設された無端環状ベルト３と、無端環状ベルト３の回転速度および水槽１内部の水温等をコントロールする制御部４と、水槽１内での駆動部９の上下水平位置の調整および前後傾斜角度の調整を共に可能とする前後一対の昇降調整機構５とを備えている。そして、制御部４側における水槽１上縁部側には、水量・温度等をコントロール可能とした調整用栓体Ｓを設け、この調整用栓体Ｓにはホースを介してシャワーノズルＮが備え付けられている。
【００１８】
駆動部９は、図１、図２に示すように、例えば矩形状に組まれた枠体内で回転可能に取り付けられた前後２本のシャフト１０の各中間に例えば３つのスプロケット１１が等間隔毎に嵌着され、該スプロケット１１によって無端環状ベルト３が巻架張設されている。そして、一方のシャフト１０の一端に配したラックギア１２に、出力軸１３ａを介して駆動モータＭに繋がるピニオンギア１３を噛合させている。したがって、駆動モータＭの駆動力によってピニオンギア１３・ラックギア１２を介して一方のシャフト１０がスプロケット１１と一体となって回転駆動することで無端環状ベルト３が駆動部９の中央面に沿って巡廻する。
【００１９】
このとき、無端環状ベルト３の回転方向は、駆動部９の一端に立設された制御部４の操作によって、右廻りまたは左廻りの何れかに設定することができ、ペットＰの頭部の向きは、常に無端環状ベルト３の上面が移動する方向とは逆方向に向けられる。
【００２０】
昇降調整機構５は、図２に示すように、駆動部９を構成する例えば矩形状に組まれた枠体６の左右両側面に、互いに内側に向けて揺動可能とした前後一対の可動リンク部７を備えている。すなわち、可動リンク部７は、枠体６の前後対称位置で且つ左右両側面対向位置に各一端がそれぞれ揺動可能に枢着された４本のリンクアーム７ａを備え、左右一対のリンクアーム７ａの他端同士にロッド状の着接脚部材７ｂを横架連結することで略コ字枠状に形成されて成る。
【００２１】
また、図２に示すように、可動リンク部７の着接脚部材７ｂに対応して、駆動部９の枠体６上面縁側には前後一対の調整用螺子棒８が螺着され、各調整用螺子棒８の各下端には矩形箱形のブラケット８ａが横向きとなって固設されている。そして、水槽１内底部に着接される可動リンク部７の着接脚部材７ｂをこの調整用螺子棒８下端のブラケット８ａに遊貫させてある。
【００２２】
さらに、図２に示すように、調整用螺子棒８の上端には、調整ダイヤル８ｂが付設され、且つ調整用螺子棒８の下端側は、駆動部９上面に突設した前後一対の筒体９ｂの上下両端開口側に固設した固定ナット９ｃの各螺子孔に螺挿されている。そして、筒体９ｂ内に位置する調整用螺子棒８には例えば複数のナット部材を螺着させて成るストッパ部８ｃが設けられ、当該調整用螺子棒の回転を上側開口側に設けた螺子孔位置でストッパ部８ｃを介して係止することで、駆動部９の下方向への移動を規制している。
【００２３】
吊り下げシート２は、例えば、素材がダイビング等に使用するネオプレーンゴム製のウエットスーツからなる柔軟性のシート部材が使用される。そして、吊り下げシート２の前側および後側には、ペットＰの前足および後足をそれぞれ通すための合計４つの足入れ孔が形成されている。尚、柔軟性を有するものであれば他の素材、例えばビニール製のシート部材等を使用しても良いことは勿論である。
【００２４】
また、この吊り下げシート２の水槽１内への取付配置例としては、図１、図２に示すように、例えばその四隅に紐材Ｌを縛着しておき、水槽１上縁の四隅に各配した相対向する開閉回転可能な一対の弾性部材からなる保持部１４により挟持固定させる。尚、この保持部１４による固定構造は本発明を何等拘束するものではなく、これの他に、例えば左右にペットＰの身体を逃がさないように固定できるハーネス型の吊りポールＱ等を採用しても良い。すなわち、水槽１の左右上縁に、略逆Ｕ字形で上部中央から後方に向けて延びた掛架部Ｑ１を備えて成る吊りポールＱを架設し、ペットＰの腹部を浮きマット両側から延びた帯体で抱えるようにして当該浮きマットをペットＰの背中に装着させ、該浮きマットのペットＰ首当部分に付設されている吊りリングに紐材Ｌを通し、前記吊りポールＱの掛架部Ｑ１に紐材Ｌの端部を縛結することでペットＰが吊り下げられ、水槽１内部に当該ペットＰが浸漬させられるようにする。
【００２５】
無端環状ベルト３は、ソフトエラストマー材料またはゴム材料またはそれ以外の高フリクション材料が、曲がりくねった溝内に保持され、溝壁面および高フリクション材料の間の比較的大きな面接触によって適所に機械的に固定され、フレーム側壁はまた、面接触によって高フリクション材料をベルトモジュールに固定する。また、フレーム側壁は、搬送される物体による衝撃から高フリクション材料の外側エッジを保護する。成形加工されたエラストマー材料の機械的な保持は、溝の垂直壁表面の大きな接触面によってアシストされる。
【００２６】
開閉扉２０は、図３に示すように、全面アクリル製の透明な板材によって形成され、その一端部において縦方向に沿って等間隔毎に付設された例えば合計３つのヒンジ部２１を介して開閉可能としてある。また、開閉扉２０の上縁部には、水槽１の他の側面と同様に手摺部２５を設けてあり、該手摺部２５の開放側先端は、開閉扉２０の横幅よりも若干突出し、且つ先端面に横長の係止片２５ａを付設することで、開閉扉２０端部と係止片２５ａとの間に、嵌合凹部２５ｂが形成されている。そして、開閉扉２０が閉扉された際には、この嵌合凹部２５ｂによって水槽１の他の側面が挟み込まれて保持されるようになっている。尚、水槽１の開放側縁部の内側には、閉扉される開閉扉２０を水密状となって封止させるためのシール部材２４が桟状となって付設されている。
【００２７】
また、開閉扉２０の開放側他端縁部には、当該開閉扉２０の閉止状態を固定可能にした閉止機構部Ｒを備えている。すなわち、閉止機構部Ｒは、図３、図４に示すように、開閉扉２０の開放側端縁部に略半月形状のベース板２２ｃがネジ止め等によって取り付けられ、このベース板２２ｃには支持軸２２ｂを介して回動可能としたコックレバー２２を備えている。そして、このコックレバー２２に対し直交する下方側に向けて係止アーム２２ａが突設され、コックレバー２２の回動操作によって当該係止アーム２２ａが一体となって回動されるものとなっている。
【００２８】
一方、開閉扉２０のコックレバー２２に対応して水槽１の開放側縁部には、フック部２３のベース板２３ａがネジ止め等によって取り付けられている。そして、このフック部２３は、コックレバー２２の時計方向への回動操作によって係止アーム２２ａを下方側からフック部２３に挿入係架されるよう、ベース板２３ａに対して下向略Ｌ字片状となって形成されている。
【００２９】
次に、以上のように構成された形態についての組立、使用、動作の一例について説明する。
【００３０】
先ず、水槽１内部に水を入れる前に、図３、図４に示すように、開閉扉２０の閉止機構部Ｒのコックレバー２２を反時計回りに回動して係止アーム２２ａをフック部２３から外し、開閉扉２０を開放する。この開放された水槽１の一側面より無端環状ベルト３上へペットＰを運び入れる。
【００３１】
図１、図２に示すように、ペット抱え用の吊り下げシート２の四隅に縛着した紐材Ｌを、水槽１上縁の四隅に各配した一対の弾性部材からなる保持部１４により挟持固定させ、当該吊り下げシート２を水槽１内に吊り下げ配置させる。このとき、ペットＰは、吊り下げシート２の足入れ孔に足を入れ、当該吊り下げシート２で抱きかかえられるようにして吊り下げられる。この状態で開閉扉２０を閉扉し、閉止機構部Ｒのコックレバー２２を時計回りに回動して係止アーム２２ａをフック部２３に係架させる。そして、水槽１内に水が貯められ、底部に配した駆動部９中央の無端環状ベルト３に足を載せて、駆動モータＭによって駆動回転させる。
【００３２】
図１に示すように、大きなサイズのペットＰでは、昇降調整機構５における前後にある調整用螺子棒８のそれぞれが筒体９ｂから上方に繰り出されるよう調整ダイヤル８ｂを同一の回転ピッチで廻すことによって、駆動部９を調整用螺子棒８に沿って下方に水平移動させ、駆動部９の下面四隅に配した脚部９ａを水槽１内底部に着接させておく。
【００３３】
一方、図２に示すように、小さなサイズのペットＰでは、昇降調整機構５における前後にある調整用螺子棒８のそれぞれが筒体９ｂ内に挿入されるよう調整ダイヤル８ｂを同一の回転ピッチで廻すことによって、駆動部９の下面四隅に配した脚部９ａを水槽１内底部から離反させ、且つ駆動部９を調整用螺子棒８に沿って上方に水平移動させておく。
【００３４】
すなわち、この昇降調整機構５による調整用螺子棒８の回転に伴い、該調整用螺子棒８の下端にあるブラケット８ｂは駆動部９下面から下方に移動させられるのであるが、このとき、前後一対の可動リンク部７は駆動部９下面から互いに拡開する方向に揺動し、駆動部９全体は調整用螺子棒８に沿って水平状態となって上方へ持ち上げられる。これにより、水槽１内での無端環状ベルト３を備えた駆動部９の上下水平位置の調整が行われ、ペットＰの大きさに応じて水槽１内の水位を調整することができる。
【００３５】
また、ペットＰの身体状況に合わせた効果的な水中歩行運動を行わせる場合には、昇降調整機構５における前後いずれか一方の調整用螺子棒８の調整ダイヤル８ｂのみを廻すことによって、水槽１内での無端環状ベルト３を備えた駆動部９の例えば０°〜５°の角度範囲での傾斜角度の調整を行う。これによって無端環状ベルト３に対し所謂チルト機能が得られるものとなり、駆動部９の前方側が下方に傾斜すれば、水中で坂道を下る運動が得られ、駆動部９の後方側が下方に傾斜すれば、水中で坂道を上る運動が得られる。
【００３６】
リハビリ終了後には、水槽１内から水を抜き、図３、図４に示すように、開閉扉２０の閉止機構部Ｒのコックレバー２２を反時計回りに回動して係止アーム２２ａをフック部２３から外し、開閉扉２０を開放する。そして、吊り下げシート２からペットＰを取り出し、開放された水槽１の一側面より外側へペットＰを運び出す。ペットＰを運び出した後には、開閉扉２０を閉扉し、閉止機構部Ｒのコックレバー２２を時計回りに回動して係止アーム２２ａをフック部２３に係架させておく。
【００３７】
尚、本発明は、前記実施の形態に限定されるものではなく、本発明の目的を達成できる範囲での改良変更等は本発明に包含されるものである。例えば、ヒンジ部２１は開閉扉２０の下側に設けて上下方向へ開閉扉２０を開閉させるようにしても良い。しかも、開閉扉２０の閉止状態を固定可能にした閉止機構部Ｒを構成するヒンジ部２１、および係止アーム２２ａと一体のコックレバー２２それぞれの個数は共に３個に限らず、任意の個数であって良い。
【符号の説明】
【００３８】
Ｐ      ペット
Ｋ      キャスター
Ｍ      駆動モータ
Ｈ      排水ホース
Ｖ      排水バルブ
Ｌ      紐材
Ｑ      吊りポール
Ｑ１    掛架部
Ｓ      調整用栓体
Ｎ      シャワーノズル
Ｒ      閉止機構部
１      水槽
２      吊り下げシート
３      無端環状ベルト
４      制御部
５      昇降調整機構
６      枠体
７      可動リンク部
７ａ    リンクアーム
７ｂ    着接脚部材
８      調整用螺子棒
８ａ    ブラケット
８ｂ    調整ダイヤル
８ｃ    ストッパ部
９      駆動部
９ａ    脚部
９ｂ    筒体
９ｃ    固定ナット
１０    シャフト
１１    スプロケット
１２    ラックギア
１３    ピニオンギア
１３ａ  出力軸
１４    保持部
２０    開閉扉
２１    ヒンジ部
２２    コックレバー
２２ａ  係止アーム
２２ｂ  支持軸
２２ｃ  ベース板
２３    フック部
２３ａ  ベース板
２４    シール部材
２５    手摺部
２５ａ  係止片
２５ｂ  嵌合凹部
【図１】
2011067104.tif 000003
【図２】
2011067104.tif 000004
【図３】
2011067104.tif 000005
【図４】
2011067104.tif 000006